(57)【特許請求の範囲】
【請求項１】
ハンカチ本体を広げた状態から、１／２の面積に次々と順次に折りたたみ、ポケットに入れる大きさにする折り方をした場合の使用単位面内に収まる大きさを有した厚みのある吸水素材が、前記ハンカチを折りたたんだ状態での折り部にかからない様に、前記ハンカチ本体上に複数個設けられたハンカチ。
【請求項２】
ハンカチ本体を広げた状態から、１／２の面積に次々と順次に折りたたみ、ポケットに入れる大きさにする折り方をした場合の使用単位面内に収まる大きさに分割され、前記ハンカチを折りたたんだ状態での折り部にかかる位置での厚さが前記使用単位面での厚さより薄く形成された厚みのある吸水素材が前記ハンカチ本体上に設けられたハンカチ。
【請求項３】
上記厚みのある吸水素材がポリアクリル酸ナトリウム塩を主成分とするポリマーを繊維形状化した高吸水繊維である、請求項１または２に記載のハンカチ。
【請求項４】
上記ハンカチ本体と、上記厚みのある吸水素材との間に撥水処理をした布等からなる水を通し難い素材を設けたことを特徴とする請求工項１または２または３項に記載のハンカチ
【発明の詳細な説明】
【０００１】
【発明の属する技術分野】
この発明は高分子ポリマー繊維等からなる吸水補強材等を組み込み使用時汗を大量に吸い取り易くし、かつ、ポケット等に簡易に折りたたみ収納時、ベトベトせず、汗の水分を封じこめるように考慮されたハンカチに関するものである。
【０００２】
【従来の技術】
従来、ハンカチを使用時、汗を沢山吸い取るとハンカチ全体に水分がしみ込みベトベトする欠点があった。また、タオル生地を素材としたハンカチもあるが、折りたたんでポケットに入れるには厚さがかさばり不便であったり、また、タオル生地は鮮やかさのプリントデザインに制約があったりしていた。
【０００３】
【発明が解決しようとする課題】
従来の技術を含め課題として、例えば、特開平０９−１４１７７５  「防水性吸湿速乾材」では、吸水素材、防水素材、環状起毛素材を多層にしてそれ自体ハンカチ全面としたものがあるが、通常使用時に折りたたんで使うとき折り曲げにくく、厚さもかさばり、また、全面に防水性吸湿速乾材を使うから鮮やかな花柄等のプリントデザインも制約あり、コストも高くなっていた。また、特開平−１０−２１２６０５「ハンカチ」では、ハンカチに水分を吸収しやすい素材で所定の形状に形成し、一部が開口して取り付け、ポケットとした物が示されているが、これも、ハンカチを折りたたんで使用単位面にした時、折り部に上記厚みのある吸水しやすい素材がかかったりし、折り曲げ難く、収納形態が厚くなり、ゴアゴアする欠点があった。
【０００４】
【問題を解決するための手段】
折りたたんで収納及び使用するハンカチ本体を全体広げた状態から、１／２の面積に次々と順次に折りたたみ、ポケットに入れる大きさにする折り方をした場合（以下この折り方を「任意の折り方」と言う）の使用単位面積内に収まる大きさに例えば汗や水を吸い取る例えばポリアクリル酸ナトリウム塩を主成分とするポリマーを繊維形状化した高吸水繊維等からなる吸水素材（以下吸水素材と言う）を分割して配置、これにより、ハンカチを折りたたんだ時の折り部には厚みのある吸水素材は避けて配置する。また、ハンカチの折りたたんだ使用単位面を折りたたみを戻し、広げたとき隣接する使用単位面に複数の吸水素材が連続して組み込まれる様構成する。また、水を通し難い素材は前記折り部にまたがって配置する。これにより、必要最小限に吸水素材を組み込みながら、折りたたみ易く、汗を拭き取った後ポケットニ収納しても水分がにじみ出て来ないハンカチを提供できる。
【０００５】
【発明の実施の形態】
本発明の第１の実施例の形態について述べる。
本発明の実施の形態を述べる。第１図は本発明の実施例の形態の例を示すハンカチの全体図。第１図において、広げられたハンカチ本体１に例えば一般のハンカチ等の木綿材と比べ単位質量当たり１０倍以上の吸水性能を持つ例えばポリアクリル酸ナトリウム塩を主成分とするポリマーを繊維形状化した高吸水繊維等からなる吸水素材２（以下吸水素材と言う）に水分を通過させる例えばプリント生地等のカバー材３を被せて構成する。この時、ハンカチ本体１を折りたたんでポット等に収納及び使用する時に任意の折り方をした場合の使用単位面内に収まる大きさで、かつ、折りたたんだ状態で折り部４にかからない位置に前記吸水素材２を分割して配置する。４はハンカチ本体１に出来る前記折り部を示している。第１図では、前記使用単位面を２面連続して吸水素材２を配置しているが、これを連続した４面等にしても良い。第２図は本明の実施の形態のハンカチの断面例を示す図である。厚みのある吸水素材２がハンカチ本体の前記折り部４に無いので、ハンカチ本体を折りたたんで収納形態にしたとき、かさばらず、かつ、折り曲げ易い効果がある。また、吸水素材２のハンカチ本体側に撥水処理をした布等水を通し難い素材５を配置してもよい。（水を通し難い素材５は無くても良い）６は取り付けの為の糸である。第３図（ａ）は本発明のハンカチを任意の折り方をして、ポケット等に収納するため使用単位面に折りたたんだ状態を示す。第３図（ｂ）は第３図（ａ）の状態をから１回折りたたみ戻した状態を示している。第３図（ｂ）の状態で暑いときの顔等の汗や、手洗い時の水分を拭き取り、吸水素材２に水分を吸収させ、それから１回折りたたむだけで第３図（ａ）の状態になりポケットにサッと敏速に収納でき、ポケットの中で水分がこのハンカチからにじみ難い様構成できる。これは、第１図で示すように必要最小限の吸水素材２をハンカチ本体の一部端部に例えば連続して前記使用単位面の２面に組み込みした配置の特徴効果である。本発明はこのように使い勝手の大変良く、一般のハンカチとは格段に違って吸水量が多量なハンカチで有りながら、厚みのある吸水素材を必要最小限のハンカチ本体の一部端部に組み込んでいるだけなので、かさばらず、胸ポケットでも吸水素材を包み込んで隠し、お洒落に例えば木綿の鮮やかななプリント柄のハンカチ本体を少し見せる様な使い方ができるハンカチを提供出来る
【０００６】
本発明の第２の実施例の形態について述べる。
第４図は本発明の第２の実施例の形態示す図である。前記吸水素材２をハンカチ本体１を任意の折り方をした場合の複数の前記使用単位面に渡り連続して広げ、折り部４は周囲より溝の様に薄くするか、全く無くして段差をつけてた物を例えば撥水、防水機能を有する布状の素材５と一体とし、ハンカチ本体１に接着等材７等取り付けする手段により本発明のハンカチを構成する。これにより、前記発明の第１の実施の形態と同じ効果で有りながら、より加工時間が少なく低コストに自動化して製造できる。
【０００８】
【発明の効果】
本発明の第１、２の実施例の形態の効果。
ハンカチ本体を折りたたんで収納形態にしたとき、厚みのある吸水補強材を組み込んでいるにも関わらず、かさばらず、かつ、折りたたみ易い効果がある。また、ポケット等に収納している状態では、厚みがあり、柄デザインが異なる吸水素材側を包み隠す様になり、ハンカチ本体の一般に人気のあるブランドのデザイン柄を楽しむ事ができる。そして、汗をぬぐう等で使用する時は、１回折り戻すだけで、吸水素材側のを使用でき、水分を多量に吸水させられる。また、吸水素材の裏側に防水機能材が付いている場合は、ポケットの中にこのハンカチが収納されても吸水した水分がにじみ出難い効果がある。さらに、本発明の第２の実施例の形態の効果として、吸水素材をハンカチを任意の折り方を複数の使用単位面に連続して広げ一体で構成するので、製造時自動化し易く、低コストで出来る構成を提供している。このように、この発明は、ハンカチ全体に厚みのある吸水素材を使うのではなく、必要最少、且つ十分に前記説明の様な特徴を持って配置する事により、一般に木綿のハンカチの持つ鮮やかな柄デザイン性を維持しつつ、汗等水分を大量吸い取るハンカチとできる大きな効果がある。
【図面の簡単な説明】
【図１】本発明の第１の実施例の形態の例を示す全体図
【図２】本発明の第１の実施例の形態の断面例を示す図
【図３】（ａ）本発明のハンカチを任意の折り方をして、ポケット等に収納するため使用単位面内に折りたたんだ状態を示す図。
【図３】（ｂ）第３図（ａ）の状態から、１回折りたたみ戻した状態を示す図
【図４】発明の第２の実施例の形態を示す図
【図５】本発明の第３の実施例形態を示す図
【符号の説明】
１．ハンカチ本体
２．吸水素材
３．カバー材
４．折り部
５．水を通し難い素材
６．縫い糸
７．接着剤
【図１】
0004096085.tif 000002
【図２】
0004096085.tif 000003
【図３】
0004096085.tif 000004
0004096085.tif 000005
【図４】
0004096085.tif 000006
【図５】
0004096085.tif 000007